(57)【要約】【課題】プラズマ表示装置およびその駆動装置と駆動方法を提供する。【解決手段】プラズマ表示装置は維持期間の間維持放電を行う電極にハイレベル電圧とローレベル電圧を交互に印加する。このような動作のために、電極とハイレベル電圧を供給する第１電源の間に第１スイッチが連結されており、前記電極とローレベル電圧を供給する第２電源の間に第２スイッチが連結されている。電力回収用キャパシタに少なくともひとつのインダクタの第１端が連結されており、前記少なくともひとつのインダクタの第２端と前記電極の間に第１ダイオードと第３スイッチが直列に連結されており、前記少なくともひとつのインダクタの第２端と前記電極の間に第２ダイオードと第４スイッチが直列に連結されている。この時、少なくともひとつのインダクタの第２端に連結されているクランピング回路部は第１および第２スイッチの導通の時に前記少なくともひとつのインダクタによって、発生する共振エネルギーを吸収する。【選択図】図９
2009122649.tif 000002
【特許請求の範囲】
【請求項１】
電極と、
前記電極と第１電圧を供給する第１電源の間に連結されている第１スイッチと、
前記電極と第２電圧を供給する第２電源の間に連結されている第２スイッチと、
前記第１電圧と前記第２電圧の間の第３電圧を供給する第３電源に第１端が連結されている少なくともひとつのインダクタと、
前記少なくともひとつのインダクタの第２端と前記電極の間に連結されている第３スイッチと、
前記少なくともひとつのインダクタの第２端と前記電極の間に連結されている第４スイッチと、
前記少なくともひとつのインダクタの第２端と前記電極の間に連結されており、前記第３スイッチの導通の時に前記電極の電圧を増加させる経路を形成する第１ダイオードと、
前記少なくともひとつのインダクタの第２端と前記電極の間に連結されており、前記第４スイッチの導通の時に前記電極の電圧を減少させる経路を形成する第２ダイオードと、
前記第１および第２スイッチの導通の時に前記少なくともひとつのインダクタによって発生する共振エネルギーを吸収するクランピング回路部と、
を備えることを特徴とする、プラズマ表示装置。
【請求項２】
前記クランピング回路部は、
前記少なくともひとつのインダクタの第２端と前記第１電源の間に直列に連結されている抵抗および第１キャパシタを備えることを特徴とする、請求項１に記載のプラズマ表示装置。
【請求項３】
前記第２電圧は前記第１電圧より高い電圧であり、前記抵抗が前記少なくともひとつのインダクタの第２端に連結され、前記第１キャパシタが前記第１電源に連結されることを特徴とする、請求項２に記載のプラズマ表示装置。
【請求項４】
前記クランピング回路部は、
前記第１ダイオードのアノードと前記第１ダイオードのカソードの間および前記第２ダイオードのアノードと前記第２ダイオードのカソードの間にそれぞれ直列に連結されているキャパシタおよび抵抗を備えることを特徴とする、請求項１に記載のプラズマ表示装置。
【請求項５】
前記クランピング回路部は、
前記少なくともひとつのインダクタの第１端と前記少なくともひとつのインダクタの第２端の間に直列に連結されているキャパシタおよび抵抗を備えることを特徴とする、請求項１に記載のプラズマ表示装置。
【請求項６】
前記クランピング回路部は、
前記抵抗に並列に連結されている第３ダイオードをさらに備えることを特徴とする、請求項２乃至請求項５のうち何れか一項に記載のプラズマ表示装置。
【請求項７】
前記第３電源は前記第３電圧を充電しているキャパシタを備えることを特徴とする、請求項６に記載のプラズマ表示装置。
【請求項８】
前記第１電圧は正の電圧であり、前記第２電圧は前記第１電圧と絶対値が同じ負の電圧であることを特徴とする、請求項６に記載のプラズマ表示装置。
【請求項９】
電極を備えるプラズマ表示装置を駆動する方法であって、
維持期間で、
第１電圧を供給する第１電源に第１端が連結されている第１インダクタ、および前記第１インダクタの第２端と前記電極の間に連結されている第１スイッチを含む第１経路を通じて、前記電極の電圧を増加させる段階と、
前記電極に前記第１電圧より高い第２電圧を印加する段階と、
を備え、
前記電極に前記第２電圧を印加する段階は、
前記第１インダクタによって発生する共振エネルギーを吸収する段階を備えることを特徴とする、駆動方法。
【請求項１０】
前記維持期間で、
前記第１電源に第１端が連結されている第２インダクタおよび前記第２インダクタの第２端と前記電極の間に連結されている第２スイッチを備える第２経路を通じて、前記電極の電圧を減少させる段階と、
前記電極に前記第１電圧より低い第３電圧を印加する段階と、
をさらに備え、
前記電極に前記第３電圧を印加する段階は、
前記第２インダクタによって発生する共振エネルギーを吸収する段階を備えることを特徴とする、請求項９に記載の駆動方法。
【請求項１１】
前記第１および第２インダクタは同一なインダクタであることを特徴とする、請求項９又は請求項１０に記載の駆動方法。
【請求項１２】
電極を含むプラズマ表示装置を駆動する装置であって、
前記電極と第１電圧を供給する第１電源の間に連結されている第１スイッチと、
前記電極と前記第１電圧より低い第２電圧を供給する第２電源の間に連結されている第２スイッチと、
前記第１電圧と前記第２電圧の間の第３電圧を供給する第３電源に連結されている第１インダクタと、
前記第１インダクタと前記電極の間に直列に連結されている第１ダイオードおよび第３スイッチを含み、前記第３スイッチの導通の時に前記電極の電圧を増加させる上昇経路と、
前記第３電源に連結されている第２インダクタと、
前記第２インダクタと前記電極の間に直列に連結されている第２ダイオードおよび第４スイッチを含み、前記第４スイッチの導通の時に前記電極の電圧を減少させる下降経路と、
前記第１スイッチおよび前記第２スイッチの導通の時に前記第１インダクタおよび前記第２インダクタによって発生する共振エネルギーを吸収するクランピング回路部と、
を備えることを特徴とする、駆動装置。
【請求項１３】
前記クランピング回路部は、
前記第１インダクタと前記第１電源または前記第２電源の間に直列に連結されている第１抵抗および第１キャパシタと、そして
前記第２インダクタと前記第１電源または前記第２電源の間に直列に連結されている第２抵抗および第２キャパシタと、
を備えることを特徴とする、請求項１２に記載の駆動装置。
【請求項１４】
前記クランピング回路部は、
前記第１ダイオードのアノードと前記第１ダイオードのカソードの間に直列に連結されている第１キャパシタおよび第１抵抗と、
前記第２ダイオードのアノードと前記第２ダイオードのカソードの間に直列に連結されている第２キャパシタおよび第２抵抗と、
を備えることを特徴とする、請求項１２に記載の駆動装置。
【請求項１５】
前記クランピング回路部は、
前記第１インダクタの両端の間に直列に連結されている第１キャパシタおよび第１抵抗と、
前記第２インダクタの両端の間に直列に連結されている第２キャパシタおよび第２抵抗と、
を備えることを特徴とする、請求項１２に記載の駆動装置。
【請求項１６】
前記第１抵抗および第２抵抗にそれぞれ並列に連結されている第３および第４ダイオードをさらに備えることを特徴とする、請求項１３乃至請求項１５のうち何れか一項に記載の駆動装置。
【請求項１７】
前記第１および第２インダクタは同一なインダクタであり、前記第１および第２キャパシタは同一なキャパシタであり、前記第１および第２抵抗は同一な抵抗であることを特徴とする、請求項１３乃至請求項１５のうち何れか一項に記載の駆動装置。
【発明の詳細な説明】
【技術分野】
【０００１】
本発明はプラズマ表示装置およびその駆動装置とその駆動方法に関し、特に、維持放電回路に関するものである。
【背景技術】
【０００２】
プラズマ表示装置は、気体放電によって生成されたプラズマを用いて、文字または映像を表示するプラズマ表示パネルを用いた表示装置である。このようなプラズマ表示パネルには複数の放電セルがマトリックス形態に配列されている。
【０００３】
一般にプラズマ表示装置では、１フレームが複数のサブフィールドに分割されて駆動され、複数のサブフィールドのうち表示動作が起こるサブフィールドの加重値の組み合わせによって階調が表示される。各サブフィールドのアドレス期間の間に発光セルと非発光セルが選択され、維持期間の間に実際に映像を表示するために発光セルに対して維持放電が行われる。
【０００４】
このような動作をするために、維持期間の間に維持放電を行う電極にハイレベル電圧とローレベル電圧が交互に印加される。この時、維持放電が起こる二つの電極は容量性成分として作用するので、電極にハイレベル電圧またはローレベル電圧を印加するためには無効電力が必要である。したがって、プラズマ表示装置の維持放電回路は、無効電力を回収して再使用するエネルギー回収回路が使用される。
【０００５】
このようなエネルギー回収回路は、維持放電を行う電極に連結されたインダクタとの共振を用いる。この時、インダクタの一端には電極が連結され、他端にはインダクタの他端の電圧が許容電圧から外れることを防ぐクランピングダイオードが連結される。したがって、インダクタとの共振を用いて電極の電圧を増加させた後、電極にハイレベル電圧を印加する時、またはインダクタとの共振を用いて電極の電圧を減少させた後、電極にローレベル電圧を印加する時、インダクタの特性によりクランピングダイオードを通過するフリーホイール電流が発生する。
【０００６】
このようなフリーホイール電流によってインダクタに貯蔵されたエネルギーが失われる。このため、電極の電圧を共振を用いて増加させる前には、電極の電圧はハイレベル電圧より低くなっており、電極の電圧を共振を用いて減少させる前には、電極の電圧はローレベル電圧より高くなっている。つまり、インダクタの端子間電圧が充分にならなくてエネルギー回収率が低下する。
【発明の開示】
【発明が解決しようとする課題】
【０００７】
本発明の課題は、維持放電回路でエネルギー回収率を向上させることができるプラズマ表示装置およびその駆動装置とその駆動方法を提供することにある。
【課題を解決するための手段】
【０００８】
本発明の一実施例によるプラズマ表示装置は、電極と、第１スイッチと、第２スイッチと、少なくともひとつのインダクタと、第３スイッチと、第４スイッチと、第１ダイオードと、第２ダイオードと、そしてクランピング回路部と、を含む。第１スイッチは前記電極と第１電圧を供給する第１電源の間に連結されている。第２スイッチは前記電極と第２電圧を供給する第２電源の間に連結されている。少なくともひとつのインダクタは、前記第１電圧と前記第２電圧の間の第３電圧を供給する第３電源に第１端が連結されている。第３スイッチは、前記少なくともひとつのインダクタの第２端と前記電極の間に連結されている。第４スイッチは、前記少なくともひとつのインダクタの第２端と前記電極の間に連結されている。第１ダイオードは、前記少なくともひとつのインダクタの第２端と前記電極の間に連結されており、前記第３スイッチの導通の時に前記電極の電圧を増加させる経路を形成する。第２ダイオードは、前記少なくともひとつのインダクタの第２端と前記電極の間に連結されており、前記第４スイッチの導通の時に前記電極の電圧を減少させる経路を形成する。そしてクランピング回路部は、前記第１および第２スイッチの導通の時に前記少なくともひとつのインダクタによって発生する共振エネルギーを吸収する。
【０００９】
本発明の他の実施例によれば、電極を含むプラズマ表示装置を駆動する方法が提供される。この駆動方法は、維持期間で、第１電圧を供給する第１電源に第１端が連結されている第１インダクタおよび前記第１インダクタの第２端と前記電極の間に連結されている第１スイッチを含む第１経路を通じて、前記電極の電圧を増加させる段階と、そして前記電極に前記第１電圧より高い第２電圧を印加する段階と、を含む。この時、前記電極に前記第２電圧を印加する段階は、前記第１インダクタによって発生する共振エネルギーを吸収する段階を含む。
【００１０】
本発明のまた他の実施例によれば、電極を含むプラズマ表示装置を駆動する装置が提供される。この駆動装置は、第１スイッチと、第２スイッチと、上昇経路と、下降経路およびクランピング回路部と、を含む。第１スイッチは、前記電極と第１電圧とを供給する第１電源の間に連結されている。第２スイッチは前記電極と前記第１電圧より低い第２電圧を供給する第２電源の間に連結されている。上昇経路は、前記第１電圧と前記第２電圧の間の第３電圧を供給する第３電源に連結されている第１インダクタ、前記第１インダクタと前記電極の間に直列に連結されている第１ダイオードおよび第３スイッチを含み、前記第３スイッチの導通の時に前記電極の電圧を増加させる。下降経路は前記第３電源に連結されている第２インダクタ、前記第２インダクタと前記電極の間に直列に連結されている第２ダイオードおよび第４スイッチを含み、前記第４スイッチの導通の時に前記電極の電圧を減少させる。そしてクランピング回路部は前記第１スイッチおよび前記第２スイッチの導通の時に前記第１インダクタおよび前記第２インダクタによって発生する共振エネルギーを吸収する。
【発明の効果】
【００１１】
本発明の実施例によれば、維持期間でエネルギー回収回路を使う時、共振エネルギーを吸収できて、エネルギー回収率を向上させることができる。
【発明を実施するための最良の形態】
【００１２】
以下、添付した図面を参照して、本発明の好ましい実施例について当業者が容易に実施することができるように詳細に説明する。しかしながら、本発明は多様に異なる形態で実現できるので、ここで説明する実施例に限定されるものではない。
【００１３】
図面では本発明を明確に説明するために説明と関係ない部分は省略した。明細書全体を通じて類似した部分については同一な図面符号を付した。ある部分が他の部分と連結されているという時、これは直接的に連結されている場合だけでなく、その中間に他の素子を間において連結されている場合も含む。
【００１４】
そして明細書全体で電圧を維持するという表現は、特定２点間の電位差が時間経過により変化してもその変化が設計上許容できる範囲内であったり、変化の原因が当業者の設計慣行では無視されている寄生成分も考慮した場合を含む。また、放電電圧に比べて半導体素子（トランジスタ、ダイオードなど）のしきい電圧が非常に低いので、しきい電圧を０Ｖ電圧と見なして近似処理する。したがって、電源によってノード、電極などに印加される電圧は前記電源の電圧でしきい電圧、寄生成分などによって電圧変動が起こった電圧を含む。
【００１５】
以下、本発明の実施例によるプラズマ表示装置およびその駆動装置とその駆動方法について詳細に説明する。
【００１６】
図１は、本発明の実施例によるプラズマ表示装置を概略的に示す図面であり、図２は本発明の第１実施例によるプラズマ表示装置の駆動波形を示した図面である。図２では説明の便宜上維持期間での駆動波形だけを示し、一つのＸ電極と一つのＹ電極だけを示した。
【００１７】
図１に示すように、本発明の実施例によるプラズマ表示装置は、プラズマ表示パネル１００と、制御部２００と、アドレス電極駆動部３００と、走査電極駆動部４００および維持電極駆動部５００と、を含む。
【００１８】
プラズマ表示パネル１００は、列方向に伸びている複数のアドレス電極（以下、“Ａ電極”という）（Ａ１〜Ａｍ）、そして行方向に互いに対を構成しながら伸びている複数の維持電極（以下、“Ｘ電極”という）（Ｘ１〜Ｘｎ）および走査電極（以下、“Ｙ電極”という）（Ｙ１〜Ｙｎ）を含む。一般に、Ｘ電極（Ｘ１〜Ｘｎ）は各Ｙ電極（Ｙ１〜Ｙｎ）に対応して形成されており、Ｘ電極（Ｘ１〜Ｘｎ）とＹ電極（Ｙ１〜Ｙｎ）が維持期間で画像を表示するための表示動作を行う。Ｙ電極（Ｙ１〜Ｙｎ）とＸ電極（Ｘ１〜Ｘｎ）はＡ電極（Ａ１〜Ａｍ）と直交するように配置される。この時、Ａ電極（Ａ１〜Ａｍ）、Ｘ電極（Ｘ１〜Ｘｎ）およびＹ電極（Ｙ１〜Ｙｎ）の交差部にある放電空間がセル１１０を形成する。このようなプラズマ表示パネル１００の構造は一例であり、以下で説明する駆動波形が適用できる他の構造のパネルも本発明に適用できる。
【００１９】
制御部２００は外部から映像信号を受信してＡ電極駆動制御信号、Ｘ電極駆動制御信号およびＹ電極駆動制御信号を出力する。そして制御部２００は、１フレームを複数のサブフィールドに分割して駆動する。
【００２０】
アドレス電極駆動部３００は、制御部２００からの駆動制御信号によってＡ電極（Ａ１〜Ａｍ）に駆動電圧を印加する。
【００２１】
走査電極駆動部４００は、制御部２００からの駆動制御信号によってＹ電極（Ｙ１〜Ｙｎ）に駆動電圧を印加する。
【００２２】
維持電極駆動部５００は、制御部２００からの駆動制御信号によってＸ電極（Ｘ１〜Ｘｎ）に駆動電圧を印加する。
【００２３】
具体的には、各サブフィールドのアドレス期間の間、アドレス電極駆動部３００、走査電極駆動部４００および維持電極駆動部５００は複数のセル１１０の中にあって当該サブフィールドでの発光セルと非発光セルを選択する。各サブフィールドの維持期間の間、図２に示すように走査電極駆動部４００はＹ電極（Ｙ１〜Ｙｎ）にハイレベル電圧（Ｖｓ）およびローレベル電圧（０Ｖ）を交互に有する維持パルスを当該サブフィールドの加重値に相当する回数だけ印加する。そして維持電極駆動部５００はＸ電極（Ｘ１〜Ｘｎ）に維持パルスをＹ電極（Ｙ１〜Ｙｎ）に印加される維持パルスと反対位相で印加する。このようにすると、各Ｙ電極（Ｙ１〜Ｙｎ）と各Ｘ電極（Ｘ１〜Ｘｎ）の電圧差がＶｓ電圧と−Ｖｓ電圧を交互に有し、これにより発光セルで維持放電が所定回数だけ繰り返して起こる。
【００２４】
次に、Ｙ電極（Ｙ１〜Ｙｎ）に印加される維持パルスを供給する維持放電回路について図３および図４を参照して説明する。
【００２５】
図３は本発明の第１実施例による維持放電回路を示した図面であり、図４は本発明の第２実施例による維持放電回路を示した図面である。図３および図４で維持放電回路４１０はＹ電極（Ｙ１〜Ｙｎ）に共通に連結されており、Ｘ電極（Ｘ１〜Ｘｎ）にも図３および図４の維持放電回路４１０と同一な維持放電回路５１０が連結される。図３および図４では説明の便宜上一つのＸ電極と一つのＹ電極だけを示し、Ｘ電極とＹ電極によって形成される容量性成分をパネルキャパシタ（Ｃｐ）に示した。また、図３および図４ではトランジスタ（Ｙｓ、Ｙｒ、Ｙｆ、Ｙｇ）をｎチャンネル電界効果トランジスタ、特にＮＭＯＳ（n-channel metal oxide semiconductor）トランジスタに示し、これらトランジスタ（Ｙｓ、Ｙｒ、Ｙｆ、Ｙｇ）にはソースからドレイン方向にボディーダイオードが形成できる。そして、ＮＭＯＳトランジスタの代わりに類似な機能をする他のトランジスタがこれらトランジスタ（Ｙｓ、Ｙｒ、Ｙｆ、Ｙｇ）に使用されてもよい。また、トランジスタ（Ｙｓ、Ｙｒ、Ｙｆ、Ｙｇ）をそれぞれ一つのトランジスタに示したが、トランジスタ（Ｙｓ、Ｙｒ、Ｙｆ、Ｙｇ）はそれぞれ並列に連結された複数のトランジスタに形成できる。
【００２６】
まず、図３に示すように、本発明の第１実施例による維持放電回路４１０は維持放電部４１１およびエネルギー回収部４１２を備える。維持放電部４１１はトランジスタ（Ｙｓ、Ｙｇ）を備え、エネルギー回収部４１２はトランジスタ（Ｙｒ、Ｙｆ）と、インダクタ（Ｌｙ）と、キャパシタ（Ｃｓｓ）およびダイオード（Ｄｒ、Ｄｆ、Ｄｓ、Ｄｇ）と、を備える。
【００２７】
具体的には、トランジスタ（Ｙｓ）のドレインはハイレベル電圧（Ｖｓ）を供給する電源（Ｖｓ）に連結されており、トランジスタ（Ｙｓ）のソースはＹ電極に連結されている。トランジスタ（Ｙｇ）のソースはローレベル電圧（０Ｖ）を供給する電源（つまり、接地端）に連結されており、トランジスタ（Ｙｇ）のドレインはＹ電極に連結されている。
【００２８】
トランジスタ（Ｙｒ）のソースおよびトランジスタ（Ｙｆ）のドレインがそれぞれＹ電極に連結されており、トランジスタ（Ｙｒ）のドレインおよびトランジスタ（Ｙｆ）のソースがそれぞれインダクタ（Ｌｙ）の一端に連結されている。インダクタ（Ｌｙ）の他端はエネルギー回収用電源であるキャパシタ（Ｃｓｓ）に連結されている。インダクタ（Ｌｙ）の一端とトランジスタ（Ｙｒ）のドレインとの間にダイオード（Ｄｒ）が連結されており、インダクタ（Ｌｙ）の一端とトランジスタ（Ｙｆ）のソースとの間にダイオード（Ｄｆ）が連結されている。この時、キャパシタ（Ｃｓｓ）はハイレベル電圧（Ｖｓ）とローレベル電圧（０Ｖ）の間の電圧を供給し、特に、二つの電圧（Ｖｓ、０Ｖ）の中間電圧（Ｖｓ/２）を供給する。そしてダイオード（Ｄｒ）は、Ｙ電極の電圧を増加させるための電流経路（以下、“上昇経路”という）を設定し、ダイオード（Ｄｆ）はＹ電極の電圧を減少させるための電流経路（以下、“下降経路”という）を設定する。そしてダイオード（Ｄｒ）とトランジスタ（Ｙｒ）の位置が互いに変わってもよく、ダイオード（Ｄｆ）とトランジスタ（Ｙｆ）の位置が互いに変わってもよい。
【００２９】
また、インダクタ（Ｌｙ）の一端にアノードが連結されているダイオード（Ｄｓ）のカソードが電源（Ｖｓ）に連結されており、インダクタ（Ｌｙ）の一端にカソードが連結されているダイオード（Ｄｇ）のアノードが接地端に連結されている。ダイオード（Ｄｓ、Ｄｇ）は、それぞれインダクタ（Ｌｙ）の一端の電圧、つまり、電圧（ＶＬ）が急激に変わりながら、許容電圧から外れることを防ぐクランピングの役割を果たす。したがって、ダイオード（Ｄｓ、Ｄｇ）はクランピング手段として動作する。
【００３０】
そして図３と異なり、本発明の第２実施例による維持放電回路４１０は上昇経路と下降経路上にインダクタがそれぞれ連結されてもよい。つまり、図４に示すように、本発明の第２実施例によるエネルギー回収部４１２ａは、インダクタ（Ｌｙｒ）の一端がダイオード（Ｄｒ）のアノードに連結されており、インダクタ（Ｌｙｆ）の一端がダイオード（Ｄｆ）のカソードに連結されており、インダクタ（Ｌｙｒ、Ｌｙｆ）の他端がそれぞれキャパシタ（Ｃｓｓ）に連結されている。この場合、ダイオード（Ｄｓ）はインダクタ（Ｌｙｒ）の一端と電源（Ｖｓ）の間に連結され、ダイオード（Ｄｇ）はインダクタ（Ｌｙｆ）の一端と接地端の間に連結できる。
【００３１】
一方、維持パルスはハイレベル電圧とローレベル電圧でそれぞれＶｓ電圧と０Ｖ電圧と違った電圧が使われてもよい。
【００３２】
図５は、本発明の第２実施例によるプラズマ表示装置の駆動波形を示した図面であり、図６は本発明の実施例による維持放電回路を示した図面である。
【００３３】
図５に示すように、維持パルスのハイレベル電圧にＶｓ/２電圧が使われ、維持パルスのローレベル電圧に−Ｖｓ/２電圧が使われてもよい。このようにしても、各Ｙ電極（Ｙ１〜Ｙｎ）と各Ｘ電極（Ｘ１〜Ｘｎ）の電圧差がＶｓ電圧と−Ｖｓ電圧を交互に有するので、発光セルで維持放電が起こされる。
【００３４】
そして図３および図４に示す維持放電回路４１０で、トランジスタ（Ｙｓ）およびダイオード（Ｄｓ）のカソードが連結される電源（Ｖｓ）をＶｓ/２電圧を供給する電源に変え、トランジスタ（Ｙｇ）およびダイオード（Ｄｇ）のアノードが連結される接地端を−Ｖｓ/２電圧を供給する電源に変えれば、Ｙ電極にＶｓ/２電圧と−Ｖｓ/２電圧を印加することができる。
【００３５】
一方、本発明の第２実施例による維持パルスはハイレベル電圧がＶｓ/２電圧であり、ローレベル電圧が−Ｖｓ/２電圧であるので、維持パルスのハイレベル電圧（Ｖｓ/２）と維持パルスのローレベル電圧（−Ｖｓ/２）の中間電圧は０Ｖとなる。したがって、図６に示すように、本発明の第３実施例によるエネルギー回収部４１２ｂはキャパシタ（図３および図４のＣｓｓ）がなくても良い。
【００３６】
次に、本発明の第１実施例による維持放電回路の動作について図７、図８Ａおよび図８Ｂを参照して説明する。
【００３７】
図７は本発明の第１実施例による維持放電回路の信号タイミング図であり、図８Ａおよび図８Ｂはそれぞれ図７のモード２およびモード４で維持放電回路を近似化した図面である。図７のモード１（Ｍ１）の直前モード４（Ｍ４）ではトランジスタ（Ｙｇ）が導通してＹ電極に０Ｖ電圧が印加されているものと仮定する。そして図７で“ＶＯ”はパネルキャパシタ（Ｃｐ）のＹ電極の電圧を意味し、“Ｖ１”はダイオード（Ｄｆ）のアノード電圧を意味する。“Ｖ２”はダイオード（Ｄｒ）のカソード電圧を意味し、“ＶＬ”はインダクタ（Ｌｙ）の一端電圧を意味する。
【００３８】
モード１（Ｍ１）ではトランジスタ（Ｙｇ）を遮断してトランジスタ（Ｙｒ）を導通する。以下、キャパシタ（Ｃｓｓ）、インダクタ（Ｌｙ）、ダイオード（Ｄｒ）、トランジスタ（Ｙｒ）およびパネルキャパシタ（Ｃｐ）のＹ電極で電流経路が形成される。この時、パネルキャパシタ（Ｃｐ）とインダクタ（Ｌｙ）との間で共振が発生する。この共振によってＶＯおよびＶＬ電圧が増加する。
【００３９】
モード２（Ｍ２）ではトランジスタ（Ｙｒ）を遮断してトランジスタ（Ｙｓ）を導通する。以下、電源（Ｖｓ）、トランジスタ（Ｙｓ）およびパネルキャパシタ（Ｃｐ）のＹ電極で電流経路が形成されながらＶ０電圧がＶｓ電圧になる。この時、ｔ０〜ｔ１領域では電流が逆方向に変わった後、ダイオード（Ｄｒ）が電流をそれ以上流れることができないように防止し始める時まで電流をそのまま通過させる。ｔ１〜ｔ２領域ではダイオード（Ｄｒ）が逆バイアスに転換されたので、ＶＬ、Ｖ１およびＶ２電圧がそれぞれ異なる速度で変動が起こる。そしてインダクタ（Ｌｙ）でＹ電極に向かってながめた回路は、図８Ａに示すように各接合キャパシタンスの合計である一つのキャパシタ（Ｃｐ）のように近似が可能である。したがって、ｔ２以後の領域ではインダクタ（Ｌｙ）とキャパシタ（Ｃｐ）との間で共振が発生しながらＶＬおよびＶ２電圧が変動する。つまり、インダクタ（Ｌｙ）に流れる電流が共振エネルギーに発散されながらトランジスタ（Ｙｓ）ではフリーホイール電流が流れなくなる。
【００４０】
モード３（Ｍ３）ではトランジスタ（Ｙｓ）を遮断してトランジスタ（Ｙｆ）を導通する。そうすれば、パネルキャパシタ（Ｃｐ）のＹ電極、トランジスタ（Ｙｆ）、ダイオード（Ｄｆ）、インダクタ（Ｌｙ）およびキャパシタ（Ｃｓｓ）に電流経路が形成される。この時、パネルキャパシタ（Ｃｐ）とインダクタ（Ｌｙ）との間で共振が発生する。この共振によってＶＯおよびＶＬ電圧が減少する。
【００４１】
モード４（Ｍ４）ではトランジスタ（Ｙｆ）を遮断してトランジスタ（Ｙｇ）を導通する。そうすれば、パネルキャパシタ（Ｃｐ）のＹ電極、トランジスタ（Ｙｇ）および接地端で電流経路を形成しながらＶ０電圧が０Ｖになる。モード４（Ｍ４）でもモード２（Ｍ２）と類似にしｔ０'〜ｔ１'領域では電流が逆方向に変わった後、ダイオード（Ｄｆ）が電流をそれ以上流れることができないように防止し始める時まで電流をそのまま通過させる。ｔ１'〜ｔ２'領域ではダイオード（Ｄｆ）が逆バイアスに転換されたので、ＶＬ、Ｖ１およびＶ２電圧がそれぞれ異なる速度で変動が起こる。そしてインダクタ（Ｌｙ）でＹ電極に向かってながめた回路は、図８Ｂに示すように各接合キャパシタンスの合計である一つのキャパシタ（Ｃｐ）のように近似が可能である。したがって、ｔ２'以後の領域ではインダクタ（Ｌｙ）とキャパシタ（Ｃｐ）との間で共振が発生しながらＶＬおよびＶ１電圧が変動する。つまり、インダクタ（Ｌｙ）に流れる電流が共振エネルギーに発散されながらトランジスタ（Ｙｇ）ではフリーホイール電流が流れなくなる。
【００４２】
次に、維持期間の間に維持放電回路４１０はモード１乃至４（Ｍ１〜Ｍ４）の動作を当該サブフィールドの加重値に対応する回数だけ繰り返すことによって、Ｙ電極に０Ｖ電圧とＶｓ電圧を交互に有する維持パルスを印加することができる。
【００４３】
このように、本発明の第１実施例による維持放電回路４１０ではフリーホイール電流が流れないので、エネルギー回収率を従来より増加させることができる。
【００４４】
そして図４および図６に示す維持放電回路の動作および効果もまた図３に示す維持放電回路の動作および効果と同一である。
【００４５】
次に、図９〜図１２を参照して本発明の第４乃至第７実施例による維持放電回路について説明する。
【００４６】
図９〜図１２はそれぞれ本発明の第４乃至第７実施例による維持放電回路を示した図面である。
【００４７】
図９に示すように、本発明の第４実施例によるエネルギー回収部４１２ｃは、ダイオード（Ｄｓ、Ｄｇ）の代わりにクランピング回路部４１２−１を含むという点を除けば、第１実施例と同一である。
【００４８】
クランピング回路部４１２−１は抵抗（Ｒｃ）およびキャパシタ（Ｃｃ）を含む。インダクタ（Ｌｙ）の一端に抵抗（Ｒｃ）が連結されており、抵抗（Ｒｃ）と接地端との間にキャパシタ（Ｃｃ）が連結されている。この時、キャパシタ（Ｃｃ）のキャパシタンスはキャパシタ（Ｃｐ）のキャパシタンスより大きい。したがって、抵抗（Ｒｃ）およびキャパシタ（Ｃｃ）はＹ電極にＶｓ電圧を印加する時、およびＹ電極に０Ｖ電圧を印加する時（つまり、図７のＭ２、Ｍ４）、インダクタ（Ｌｙ）とキャパシタ（Ｃｐ）間の共振エネルギーを吸収する役割を果たす。つまり、Ｙ電極にＶｓ電圧を印加する時、およびＹ電極に０Ｖ電圧を印加する時、キャパシタ（Ｃｃ）のキャパシタンスがキャパシタ（Ｃｐ）のキャパシタンスより大きくなれば、キャパシタ（Ｃｃ）とインダクタ（Ｌｙ）との共振が主成分になる。この時、抵抗（Ｒｃ）により共振エネルギーが速い速度で減少するようになるので、Ｙ電極に安定した電圧を印加できるようになる。この時、抵抗（Ｒｃ）の抵抗値はインダクタ（Ｌｙ）に流れる電流のピーク値により決定され、キャパシタ（Ｃｃ）のキャパシタンスはキャパシタ（Ｃｐ）により決定される。
【００４９】
そして図１０のように、本発明の第５実施例によるエネルギー回収部（４１２ｄ）は、クランピング回路部４１２−２がダイオード（Ｄｃ）をさらに含むという点を除けば、本発明の第４実施例と同一である。この時、ダイオード（Ｄｃ）のアノードがインダクタ（Ｌｙ）の一端に連結されており、ダイオード（Ｄｃ）のカソードが抵抗（Ｒｃ）とキャパシタ（Ｃｃ）との間に連結されている。このようなダイオード（Ｄｃ）はＶＬ電圧が急激に増加する時、キャパシタ（Ｃｃ）および接地端で電流経路を形成してＶＬ電圧が急速に増加することを防止することができる。
【００５０】
一方、図９および図１０ではクランピング回路部４１２−１、４１２−２を本発明の第１実施例による維持放電回路４１０に適用したが、クランピング回路部４１２−１、４１２−２を本発明の第２および第３実施例による維持放電回路４１０にも適用することができる。
【００５１】
つまり、本発明の第２実施例による維持放電回路４１０に図９のクランピング回路部４１２−１を適用すれば図１１と同じように示すことができ、本発明の第２実施例による維持放電回路４１０に図１０のクランピング回路部４１２−２を適用すれば図１２と同じように示すことができる。
【００５２】
具体的には、図１１に示すように、本発明の第６実施例によるエネルギー回収部４１２ｅで、クランピング回路部４１２−１'にはインダクタ（Ｌｙｒ）とダイオード（Ｄｒ）の接続点と接地端の間に抵抗（Ｒｃｒ）およびキャパシタ（Ｃｃｒ）が直列に連結されており、クランピング回路部４１２−１''にはインダクタ（Ｌｙｆ）とダイオード（Ｄｆ）の接続点と接地端の間に抵抗（Ｒｃｆ）およびキャパシタ（Ｃｃｆ）が直列に連結されている。
【００５３】
また、図１２に示すように、本発明の第７実施例によるエネルギー回収部４１２ｆで、クランピング回路部４１２−２'にはインダクタ（Ｌｙｒ）とダイオード（Ｄｒ）の接続点と接地端の間に抵抗（Ｒｃｒ）およびキャパシタ（Ｃｃｒ）が直列に連結されており、ダイオード（Ｄｃｒ）が抵抗（Ｒｃｒ）に並列に連結されている。また、クランピング回路部４１２−２''にはインダクタ（Ｌｙｆ）とダイオード（Ｄｆ）の接続点と接地端の間に抵抗（Ｒｃｆ）およびキャパシタ（Ｃｃｆ）が直列に連結されており、ダイオード（Ｄｃｆ）が抵抗（Ｒｃｆ）に並列に連結されている。
【００５４】
これとは異なり、クランピング回路部４１２−１、４１２−２が接地端ではない電圧を供給する電源に連結されてもよい。つまり、クランピング回路部４１２−１、４１２−２が電源（Ｖｓ）に連結されてもよい。
【００５５】
一方、図９および図１０のクランピング回路部４１２−１、４１２−２と類似な動作を行う他の形態のクランピング回路が本発明の第１乃至第３実施例による維持放電回路４１０に適用されてもよい。以下、このようなクランピング回路について図１３および図１４を参考として説明する。
【００５６】
図１３および図１４は、それぞれ本発明の第８および第９実施例による維持放電回路を示した図面である。
【００５７】
図１３に示すように、本発明の第８実施例によるエネルギー回収部４１２ｇのクランピング回路部４１２−３'ではダイオード（Ｄｒ）のアノードとダイオード（Ｄｒ）のカソードの間に抵抗（Ｒｃｒ）およびキャパシタ（Ｃｃｒ）が直列に連結されており、ダイオード（Ｄｃｒ）が抵抗（Ｒｃｒ）に並列に連結できる。また、エネルギー回収部４１２ｈのクランピング回路部４１２−３''ではダイオード（Ｄｆ）のカソードとダイオード（Ｄｆ）のアノードの間に抵抗（Ｒｃｆ）およびキャパシタ（Ｃｃｆ）が直列に連結されており、ダイオード（Ｄｃｆ）が抵抗（Ｒｃｆ）に並列に連結される。
【００５８】
そして図１３と異なり、図１４に示すように、本発明の第９実施例によるエネルギー回収部４１２ｈのクランピング回路部４１２−４'ではインダクタ（Ｌｙｒ）の両端の間に抵抗（Ｒｃｒ）およびキャパシタ（Ｃｃｒ）が直列に連結でき、同様にエネルギー回収部４１２ｈのクランピング回路部４１２−４''ではインダクタ（Ｌｙｆ）の両端の間に抵抗（Ｒｃｆ）およびキャパシタ（Ｃｃｆ）が直列に連結できる。そして本発明の第６乃至第９実施例による維持放電回路４１０のエネルギー回収部４１２ｅ〜４１２ｈでのクランピング回路部４１２−１'、４１２−１''、４１２−２'、４１２−２''、４１２−３'、４１２−３''、４１２−４'、４１２−４''の動作および効果は、本発明の第４および第５実施例による維持放電回路でのクランピング回路部４１２−１、４１２−２の動作および効果と同一である。
【００５９】
以上、本発明の好ましい実施例について説明したが、本発明の権利範囲はこれに限定されるものではなく、特許請求の範囲と発明の詳細な説明及び添付した図面の範囲内で多様に変形して実施することが可能であり、これもまた本発明の範囲に属することは当然である。
【図面の簡単な説明】
【００６０】
【図１】本発明の実施例によるプラズマ表示装置を概略的に示す図面である。
【図２】本発明の第１実施例によるプラズマ表示装置の駆動波形を示した図面である。
【図３】本発明の第１実施例による維持放電回路を示した図面である。
【図４】本発明の第２実施例による維持放電回路を示した図面である。
【図５】本発明の第２実施例によるプラズマ表示装置の駆動波形を示した図面である。
【図６】本発明の第３実施例による維持放電回路を示した図面である。
【図７】本発明の第１実施例による維持放電回路の信号タイミング図である。
【図８Ａ】図７のモード２で維持放電回路を近似化した図面である。
【図８Ｂ】図７のモード４で維持放電回路を近似化した図面である。
【図９】本発明の第４実施例による維持放電回路を示した図面である。
【図１０】本発明の第５実施例による維持放電回路を示した図面である。
【図１１】本発明の第６実施例による維持放電回路を示した図面である。
【図１２】本発明の第７実施例による維持放電回路を示した図面である。
【図１３】本発明の第８実施例による維持放電回路を示した図面である。
【図１４】本発明の第９実施例による維持放電回路を示した図面である。
【符号の説明】
【００６１】
１１０  セル
４００  走査電極駆動部
５００  維持電極駆動部
４１０、５１０  維持放電回路
４１１  維持放電部
４１２、４１２ａ〜４１２ｈ  エネルギー回収部
４１２−１、４１２−２  クランピング回路部
【図１】
2009122649.tif 000003
【図２】
2009122649.tif 000004
【図３】
2009122649.tif 000005
【図４】
2009122649.tif 000006
【図５】
2009122649.tif 000007
【図６】
2009122649.tif 000008
【図７】
2009122649.tif 000009
【図８Ａ】
2009122649.tif 000010
【図８Ｂ】
2009122649.tif 000011
【図９】
2009122649.tif 000012
【図１０】
2009122649.tif 000013
【図１１】
2009122649.tif 000014
【図１２】
2009122649.tif 000015
【図１３】
2009122649.tif 000016
【図１４】
2009122649.tif 000017